(57)【要約】  Ｇｌｏｂａｌ  Ｓｙｓｔｅｍ  ｆｏｒ  Ｍｏｂｉｌｅ  ＣｏｍｍｕｎｉｃａｔｉｏｎｓネットワークにおいてＵｎｌｉｃｅｎｓｅｄ  Ｍｏｂｉｌｅ  Ａｃｃｅｓｓ端末の位置情報を管理する方法である。端末のＩＰアドレスがＧｅｎｅｒｉｃ  Ａｃｃｅｓｓ  Ｎｅｔｗｏｒｋ  Ｃｏｎｔｒｏｌｌｅｒで受信される。次いでＧｅｎｅｒｉｃ  Ａｃｃｅｓｓ  Ｎｅｔｗｏｒｋ  Ｃｏｎｔｒｏｌｌｅｒは、移動通信交換局またはサービング汎用パケット無線システム・サービスノードに接続する目的でＵＭＡ端末がそれを通してＩＰ接続性を得ているＩＰネットワークまたはＩＰサブネットワークに関連するＣｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎにクエリを送信する。Ｃｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎは、位置情報をＧｅｎｅｒｉｃ  Ａｃｃｅｓｓ  Ｎｅｔｗｏｒｋ  Ｃｏｎｔｒｏｌｌｅｒへ送信し、次いでＧｅｎｅｒｉｃ  Ａｃｃｅｓｓ  Ｎｅｔｗｏｒｋ  Ｃｏｎｔｒｏｌｌｅｒは、位置情報を移動通信交換局またはサービング汎用パケット無線システム・サービスノードへ送信する。
2010532956.tif 000002
【特許請求の範囲】
【請求項１】
ＧＳＭネットワークにおいてＵＭＡ端末の位置情報を管理する方法であって、
ＧＡＮコントローラにおいて、前記端末のＩＰアドレスを受信するステップと、
通信サービスノードに接続することを目的として前記端末がＩＰ接続性を取得するために介したＩＰネットワークまたはＩＰサブネットワークに関連付けられたＣｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎに対して、前記ＧＡＮコントローラからクエリを送信するステップと、
前記クエリに応えて、前記Ｃｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎから位置情報を受信するステップと、
通信サービスノードに対して、前記ＧＡＮコントローラから前記位置情報を送信するステップと、
を備えることを特徴とする方法。
【請求項２】
前記通信サービスノードは、移動通信交換局（ＭＳＣ）およびサービング汎用パケット無線システム・サービスノード（ＳＧＳＮ）のうちの１つから選択されることを特徴とする請求項１に記載の方法。
【請求項３】
ＧＳＭネットワークにおいてＧＡＮ端末の位置情報を管理する、請求項１又は２に記載の方法であって、
前記位置情報は、エンハンストＧＳＭ  Ａｔｔａｃｈ手順を使用して、前記通信サービスノードに対して前記ＧＡＮコントローラから送信される
ことを特徴とする請求項１又は２に記載の方法。
【請求項４】
前記通信サービスノードに対して、前記ＧＡＮコントローラから前記位置情報を送信する前記ステップの前に、
前記通信サービスノードから位置情報要求を受信するステップと、
前記要求に応えて、前記通信サービスノードに対して、前記ＧＡＮコントローラから前記位置情報を送信するステップと、
を更に備えることを特徴とする、ＧＳＭネットワークにおいてＧＡＮ端末の位置情報を管理する、請求項１又は２に記載の方法。
【請求項５】
前記通信サービスノードにおいて、前記端末がＧＡＮコントローラを介して接続されているということを示すＬｏｃａｔｉｏｎ  Ａｒｅａ  ＣｏｄｅまたはＬｏｃａｔｉｏｎ  Ａｒｅａ  ＣｏｄｅとＣｅｌｌ  Ｉｄｅｎｔｉｆｉｅｒとの組み合わせを、報告されたＣｅｌｌ  Ｇｌｏｂａｌ  Ｉｄｅｎｔｉｆｉｅｒ、Ｌｏｃａｔｉｏｎ  Ａｒｅａ  Ｃｏｄｅ、およびＣｅｌｌ  Ｉｄｅｎｔｉｆｉｅｒから判定するステップと、
前記判定の結果として、前記ＧＡＮコントローラに対して、前記通信サービスノードから位置情報要求を送信するステップと、
を備えることを特徴とする、ＧＳＭネットワークにおいてＧＡＮ端末の位置情報を管理する、請求項４に記載の方法。
【請求項６】
前記通信サービスノードにおいて、前記端末がＧＡＮコントローラを介して接続されているということを示すＬｏｃａｔｉｏｎ  Ａｒｅａ  ＣｏｄｅまたはＬｏｃａｔｉｏｎ  Ａｒｅａ  ＣｏｄｅとＳｅｒｖｉｃｅ  Ａｒｅａ  Ｃｏｄｅとの組み合わせを、報告されたＣｅｌｌ  Ｇｌｏｂａｌ  Ｉｄｅｎｔｉｆｉｅｒ、Ｌｏｃａｔｉｏｎ  Ａｒｅａ  Ｃｏｄｅ、およびＳｅｒｖｉｃｅ  Ａｒｅａ  Ｃｏｄｅから判定するステップと、
前記判定の結果として、前記ＧＡＮコントローラに対して、前記通信サービスノードから位置情報要求を送信するステップと、
を備えることを特徴とする、ＧＳＭネットワークにおいてＧＡＮ端末の位置情報を管理する、請求項４に記載の方法。
【請求項７】
前記位置情報はＥ．１６４公衆交換電話網番号を含むことを特徴とする、ＧＳＭネットワークにおいてＧＡＮ端末の位置情報を管理する、請求項１乃至６のいずれか１項に記載の方法。
【請求項８】
前記位置情報は、仮想回線ＩＤ、郵便番号、地理情報、測地情報、および無線ローカルエリアネットワークアクセスポイントを特定する位置情報のうちのいずれかから選択されることを特徴とする、ＧＳＭネットワークにおいてＧＡＮ端末の位置情報を管理する、請求項１乃至７のいずれか１項に記載の方法。
【請求項９】
ＧＳＭネットワークにおいて使用するためのＧＡＮコントローラであって、
ＧＡＮ端末のＩＰアドレスを受信する受信器と、
クエリメッセージを生成するプロセッサと、
前記端末に関連付けられたＣｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎに対して前記クエリメッセージを送信する送信器と、
を備え、
前記受信器は、前記クエリに応える、位置情報を含んだ応答メッセージを受信するように構成され、
前記送信器は、移動通信交換局およびサービング汎用パケット無線システム・サービスノードから選択されたノードに対して、位置情報を含んだメッセージを送信するように構成される
ことを特徴とするＧＡＮコントローラ。
【請求項１０】
前記位置情報を格納するメモリを更に備えることを特徴とする請求項８に記載のＧＡＮコントローラ。
【請求項１１】
前記移動通信交換局または前記サービング汎用パケット無線システム・サービスノードへ送信される、位置情報を含んだ前記メッセージは、Ｄｉｒｅｃｔ  Ｔｒａｎｓｆｅｒ  Ａｐｐｌｉｃａｔｉｏｎ  Ｐａｒｔ（ＤＴＡＰ）メッセージ、Ｂａｓｅ  Ｓｔａｔｉｏｎ  Ｓｙｓｔｅｍ  Ａｐｐｌｉｃａｔｉｏｎ  Ｐａｒｔ（ＢＳＳＡＰ）メッセージ、Ｒａｄｉｏ  Ａｃｃｅｓｓ  Ｎｅｔｗｏｒｋ  Ａｐｐｌｉｃａｔｉｏｎ  Ｐａｒｔ（ＲＡＮＡＰ）メッセージ、ＳＯＡＰ／ＸＭＬメッセージ、およびＬＤＡＰメッセージの中から選択されることを特徴とする請求項９又は１０に記載のＧＡＮコントローラ。
【請求項１２】
ＧＳＭネットワークにおいて使用するための移動通信交換局であって、
アクセスネットワーク内のノードから、前記移動通信交換局に接続されてサービス提供されている加入者に関する、ＵＭＡ端末に関する位置情報を含んだメッセージを受信する受信器
を備えることを特徴とする移動通信交換局。
【請求項１３】
位置情報を含んだ前記メッセージを受信する前に、前記端末がＧＡＮコントローラを介して接続されているということを示すＬｏｃａｔｉｏｎ  Ａｒｅａ  ＣｏｄｅとＣｅｌｌ  ＩｄｅｎｔｉｆｉｅｒまたはＳｅｒｖｉｃｅ  Ａｒｅａ  Ｃｏｄｅとを、報告されたＣｅｌｌ  Ｇｌｏｂａｌ  Ｉｄｅｎｔｉｆｉｅｒから判定する手段と、
前記ＧＡＮコントローラに対して、位置情報要求を送信する送信器と、
を更に備えることを特徴とする請求項１２に記載の移動通信交換局。
【請求項１４】
ＧＳＭネットワークにおいて使用するためのサービング汎用パケット無線システム・サービスノードであって、
アクセスネットワーク内のノードから、前記サービング汎用パケット無線システム・サービスノードに接続されてサービス提供されている加入者に関する、ＵＭＡ端末に関する位置情報を含んだメッセージを受信する受信器
を備えることを特徴とするサービング汎用パケット無線システム・サービスノード。
【請求項１５】
位置情報を含んだ前記メッセージを受信する前に、前記端末がＧＡＮコントローラを介して接続されているということを示すＬｏｃａｔｉｏｎ  Ａｒｅａ  ＣｏｄｅとＣｅｌｌ  ＩｄｅｎｔｉｆｉｅｒまたはＳｅｒｖｉｃｅ  Ａｒｅａ  Ｃｏｄｅとを、報告されたＣｅｌｌ  Ｇｌｏｂａｌ  Ｉｄｅｎｔｉｆｉｅｒから判定する手段と、
前記ＧＡＮコントローラに対して、位置情報要求を送信する送信器と、
を更に備えることを特徴とする請求項１４に記載のサービング汎用パケット無線システム・サービスノード。
【発明の詳細な説明】
【技術分野】
【０００１】
本発明は、通信ネットワークにおける端末の位置の分野に関し、詳細には、Ｇｌｏｂａｌ  Ｓｙｓｔｅｍ  ｆｏｒ  Ｍｏｂｉｌｅ  Ｃｏｍｍｕｎｉｃａｔｉｏｎｓネットワークにおける端末の位置の分野に関する。
【背景技術】
【０００２】
Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）は、移動電話のための一般的な標準である。ＧＳＭ加入者は、回線交換通話と、パケット交換サービスと、モビリティ管理およびその他のＧＳＭサービスとをユーザ端末に提供する移動通信交換局サーバ（ＭＳＣ）を経由して、自分の端末を用いてＧＳＭネットワークに接続することができる。
【０００３】
ＧＳＭ加入者がＭＳＣに接続する場合、無線アクセスネットワーク内の基地局制御装置（ＢＳＣ）が、加入者が存在するセルをＭＳＣに報告する。またＢＳＣは、例えば加入者の移動局が定期的な位置更新手順を行っている場合や、加入者がＧＳＭサービスを開始する場合や、加入者が別の位置エリアへと位置変更する場合には、現在セルについてもＭＳＣに報告する。ＭＳＣは、内部マッピングを用いて位置識別子（または位置番号）を加入者の現在セルに関連付けてもよい。位置番号は、加入者の物理的位置または地理的位置を表すものであり、ＭＳＣによってかまたはＶａｌｕｅ  Ａｄｄｅｄ  Ｓｅｒｖｉｃｅｓ（ＶＡＳ）によって利用されてもよい。サービス論理の処理のために加入者の位置を用いるＶＡＳの例として、ＨｏｍｅゾーンやＯｆｆｉｃｅゾーンや、Ｌｏｃａｔｉｏｎ（位置）をベースにした課金などがある。多くの場合、公衆陸上移動通信網（ＰＬＭＮ）運用事業者は、位置番号としてＥ．１６４番号を用いる。これが行われる場所では、運用事業者は、自社の無線アクセスネットワークについて番号プランを定義し、そして、この無線アクセスネットワーク内の各位置エリアは、それに関連する位置番号を持つ。位置エリアは、運用事業者によって定義される単一のＧＳＭセルであってもよいし、セルのグループであってもよい。位置番号は、固定ネットワーク番号と同様である。例えば、公衆交換電話網（ＰＳＴＮ）番号を用いて加入者の位置をある程度識別することもできる。
【０００４】
Ｇｅｎｅｒｉｃ  Ａｃｃｅｓｓ  Ｎｅｔｗｏｒｋ（ＧＡＮ）によって、ＧＳＭ加入者は、免許不要のスペクトル、例えば無線ＬＡＮやＢｌｕｅｔｏｏｔｈを用いてＧＳＭネットワークにアクセスすることができる。ＧＡＮは、３ＧＰＰによって用いられている公式な用語であるが、この技術は、Ｕｎｌｉｃｅｎｓｅｄ  Ｍｏｂｉｌｅ  Ａｃｃｅｓｓ（ＵＭＡ）という名前で一般に知られている。本書ではこれ以降、ＵＭＡという用語を用いるが、それはＵｎｌｉｃｅｎｓｅｄ  Ｍｏｂｉｌｅ  ＡｃｃｅｓｓまたはＧｅｎｅｒｉｃ  Ａｃｃｅｓｓ  Ｎｅｔｗｏｒｋのいずれか一方を言うと解釈されてよい。ＵＭＡを用いたＧＳＭネットワークへのアクセスは一般に、通常のＧＳＭアクセスとＵＭＡアクセスの両方をサポートする端末を用いて行われる。そのような端末を、本書ではＵＭＡ端末と呼ぶ。ＵＭＡによって、ＵＭＡ端末を持つ加入者は、呼の最中も呼以外の場合でも、ＧＳＭアクセスとＷＬＡＮアクセスの間のハンドオーバを行うことができる。
【０００５】
ＧＳＭ加入者がＵＭＡ端末を用いてＧＳＭネットワークに接続する場合、現時点では、ＭＳＣが位置番号を加入者の現在位置に関連付けるための定義済のメカニズムが存在しない。なぜなら、ＢＳＣとして動作しているＧｅｎｅｒｉｃ  Ａｃｃｅｓｓ  Ｎｅｔｗｏｒｋ  Ｃｏｎｔｒｏｌｌｅｒ（ＧＡＮコントローラ）（ＧＡＮＣ）が、加入者の現在のアクセスに関連する「セル」をＭＳＣに報告しないからであり、従って、ＭＳＣは、位置番号を導出する通常の方法が使えないからである。
【０００６】
ＵＭＡ加入者は、Ｄｉｇｉｔａｌ  Ｓｕｂｓｃｒｉｂｅｒ  Ｌｉｎｅ（ＤＳＬ）に接続しているホームＷＬＡＮアクセスポイントを通して、ＧＳＭネットワークにアクセスしてもよい。ＤＳＬ接続はＩＰ接続性を提供する。今度は、ＵＭＡ端末は、ＩＰ接続性を用いてＧＡＮＣに登録し、次いでＧＡＮＣが加入者をＭＳＣに登録する。加入者が、ＤＳＬ経由でＧＳＭネットワークにアクセスするためにＵＭＡを使う場合、その加入者のための位置番号としてＤＳＬ回線番号を割り当てることが可能であることが望ましいであろう。例えば、加入者が、ＤＳＬ経由でＧＳＭネットワークにアクセスするためにＵＭＡを使う場合、加入者の位置は、ＤＳＬ回線ＩＤによって判定することができるであろう。同様に、加入者が、自宅の無線ローカルエリアネットワーク（ＷＬＡＮ）アクセスを通じてＵＭＡを使う場合、そして、その加入者の自宅のＰＳＴＮ番号が＋４６  ２６  １５７０００である場合には、ＵＭＡアクセスを目的とする加入者の位置番号は、＋４６  ２６  １５７０００であろう。
【０００７】
仮想プライベートネットワーク（ＶＰＮ）のようなサービスが、その加入者に発着信する呼を制御している場合、ＶＰＮサービスは、その加入者の現在位置番号を受信することができよう。報告された位置番号が、例えば＋４６  ２６  １５７０００である場合には、報告された位置番号（＋４６  ２６  １５７０００）から加入者の現在位置がＧＡＮＣによってサービス提供されているということをＶＰＮが推論できるならば、ＶＰＮは、加入者が自分のホームＷＬＡＮ／ＤＳＬを用いてネットワークに接続していることを認識するであろう。位置番号がどのようにＧＡＮＣに関連付けられるかについては、以下で説明しよう。
【０００８】
ＵＭＡアクセスを用いている場合に位置番号が利用可能であるようにすることが、緊急呼には必要である。運用事業者は、加入者が緊急呼を確立した場合に発信加入者の位置を提供するように法律によって義務付けられている。さらに、多くの場合、合法的盗聴（Ｌａｗｆｕｌ  Ｉｎｔｅｒｃｅｐｔ：ＬＩ）システムでは、発信者または着信者の位置を判定できることが必要である。
【発明の概要】
【課題を解決するための手段】
【０００９】
本発明は、加入者がＵＭＡを通してＧＳＭネットワークに接続する場合に、例えばＰＳＴＮ  ＤＳＬ回線番号のような位置番号がＧＳＭネットワークに利用できるようにするメカニズムを提供する。
【００１０】
本発明の第１の態様によれば、Ｇｌｏｂａｌ  Ｓｙｓｔｅｍ  ｆｏｒ  Ｍｏｂｉｌｅ  ＣｏｍｍｕｎｉｃａｔｉｏｎｓネットワークにおいてＵｎｌｉｃｅｎｓｅｄ  Ｍｏｂｉｌｅ  Ａｃｃｅｓｓ端末の位置情報を管理する方法が提供される。Ｇｅｎｅｒｉｃ  Ａｃｃｅｓｓ  Ｎｅｔｗｏｒｋ  Ｃｏｎｔｒｏｌｌｅｒが、端末のＩＰアドレスを受信し、次いで、移動通信交換局に接続する目的でＵＭＡ端末がそれを通してＩＰ接続性を得ているＩＰネットワークまたはＩＰサブネットワークに関連するＣｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎに、クエリを送信する。Ｃｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎは、クエリに応じて位置情報をＧｅｎｅｒｉｃ  Ａｃｃｅｓｓ  Ｎｅｔｗｏｒｋ  Ｃｏｎｔｒｏｌｌｅｒへ返信する。次いでＧｅｎｅｒｉｃ  Ａｃｃｅｓｓ  Ｎｅｔｗｏｒｋ  Ｃｏｎｔｒｏｌｌｅｒは、位置情報をＧｅｎｅｒｉｃ  Ａｃｃｅｓｓ  Ｎｅｔｗｏｒｋ  Ｃｏｎｔｒｏｌｌｅｒから通信サービスノードへ送信するが、その通信サービスノードは、移動通信交換局（ＭＳＣ）と、サービング汎用パケット無線システム・サービスノード（ＳＧＳＮ）とのうちの１つから選択される。
【００１１】
位置情報は、エンハンストＧＳＭ  Ａｔｔａｃｈ手順を用いてＧｅｎｅｒｉｃ  Ａｃｃｅｓｓ  Ｎｅｔｗｏｒｋ  Ｃｏｎｔｒｏｌｌｅｒから通信サービスノードへ送信されてもよい。
【００１２】
あるいは、Ｇｅｎｅｒｉｃ  Ａｃｃｅｓｓ  Ｎｅｔｗｏｒｋ  Ｃｏｎｔｒｏｌｌｅｒから通信サービスノードへ位置情報を送信する前に、位置情報を求める通信サービスノードからの要求（位置情報要求）が受信されてもよい。要求に応じて、位置情報が、Ｇｅｎｅｒｉｃ  Ａｃｃｅｓｓ  Ｎｅｔｗｏｒｋ  Ｃｏｎｔｒｏｌｌｅｒから通信サービスノードへ送信される。このようにして、通信サービスノードは、必要な場合に位置情報を具体的に要求してもよい。
【００１３】
要求する前に、通信サービスノードが、Ｇｅｎｅｒｉｃ  Ａｃｃｅｓｓ  Ｎｅｔｗｏｒｋ  Ｃｏｎｔｒｏｌｌｅｒから報告されたＣｅｌｌ  Ｇｌｏｂａｌ  Ｉｄｅｎｔｉｆｉｅｒから、Ｌｏｃａｔｉｏｎ  Ａｒｅａ  ＣｏｄｅとＣｅｌｌ  Ｉｄｅｎｔｉｆｉｅｒとを判定してもよい。Ｌｏｃａｔｉｏｎ  Ａｒｅａ  Ｃｏｄｅ、あるいは、Ｌｏｃａｔｉｏｎ  Ａｒｅａ  ＣｏｄｅとＣｅｌｌ  Ｉｄｅｎｔｉｆｉｅｒとの組み合わせは、端末が、Ｇｅｎｅｒｉｃ  Ａｃｃｅｓｓ  Ｎｅｔｗｏｒｋ  Ｃｏｎｔｒｏｌｌｅｒを経由して接続されているかどうかを表す。判定の結果として、位置情報を求める要求が、通信サービスノードからＧｅｎｅｒｉｃ  Ａｃｃｅｓｓ  Ｎｅｔｗｏｒｋ  Ｃｏｎｔｒｏｌｌｅｒへと送信される。
【００１４】
あるいは、Ｗ−ＣＤＭＡ無線アクセスに代わってＵＭＡアクセスが用いられる場合、かつ、要求する前に、通信サービスノードが、Ｇｅｎｅｒｉｃ  Ａｃｃｅｓｓ  Ｎｅｔｗｏｒｋ  Ｃｏｎｔｒｏｌｌｅｒから報告されたＣｅｌｌ  Ｇｌｏｂａｌ  Ｉｄｅｎｔｉｆｉｅｒから、Ｌｏｃａｔｉｏｎ  Ａｒｅａ  ＣｏｄｅとＳｅｒｖｉｃｅ  Ａｒｅａ  Ｃｏｄｅとを判定してもよい。Ｌｏｃａｔｉｏｎ  Ａｒｅａ  Ｃｏｄｅ、あるいは、Ｌｏｃａｔｉｏｎ  Ａｒｅａ  ＣｏｄｅとＳｅｒｖｉｃｅ  Ａｒｅａ  Ｃｏｄｅとの組み合わせは、端末が、Ｇｅｎｅｒｉｃ  Ａｃｃｅｓｓ  Ｎｅｔｗｏｒｋ  Ｃｏｎｔｒｏｌｌｅｒを経由して接続されているかどうかを表す。判定の結果として、位置情報を求める要求が、通信サービスノードからＧｅｎｅｒｉｃ  Ａｃｃｅｓｓ  Ｎｅｔｗｏｒｋ  Ｃｏｎｔｒｏｌｌｅｒへと送信される。
【００１５】
位置情報には、Ｅ．１６４公衆交換電話網番号が含まれてもよい。あるいは、位置情報は、仮想回線ＩＤ、郵便番号、地理情報、測地情報、および、無線ローカルアクセスネットワークアクセスポイントを識別する位置情報のうち、いずれかから選択されてもよい。
【００１６】
本発明の第２の態様によって、Ｇｌｏｂａｌ  Ｓｙｓｔｅｍ  ｆｏｒ  Ｍｏｂｉｌｅ  Ｃｏｍｍｕｎｉｃａｔｉｏｎｓネットワークで用いるＧｅｎｅｒｉｃ  Ａｃｃｅｓｓ  Ｎｅｔｗｏｒｋ  Ｃｏｎｔｒｏｌｌｅｒが提供される。Ｇｅｎｅｒｉｃ  Ａｃｃｅｓｓ  Ｎｅｔｗｏｒｋ  Ｃｏｎｔｒｏｌｌｅｒは、Ｕｎｌｉｃｅｎｓｅｄ  Ｍｏｂｉｌｅ  Ａｃｃｅｓｓ端末のＩＰアドレスを受信するための受信器と、クエリメッセージを生成するためのプロセッサと、そして、端末に関連するＣｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎにクエリメッセージを送信するための送信器とを備える。受信器は、クエリに応じて応答メッセージを受信するように構成され、その応答メッセージは、位置情報を含んでいる。さらに、送信器は、位置情報を有するメッセージを、移動通信交換局とサービング汎用パケット無線システム・サービスノードとから選択されたノードに送信するように構成される。
【００１７】
Ｇｅｎｅｒｉｃ  Ａｃｃｅｓｓ  Ｎｅｔｗｏｒｋ  Ｃｏｎｔｒｏｌｌｅｒは、位置情報を記憶し、それによって位置情報のレコードを維持するためのメモリを備えてもよい。
【００１８】
移動通信交換局またはサービング汎用パケット無線システム・サービスノードへ送信されることになる位置情報を有するメッセージは、Ｄｉｒｅｃｔ  Ｔｒａｎｓｆｅｒ  Ａｐｐｌｉｃａｔｉｏｎ  Ｐａｒｔメッセージと、Ｂａｓｅ  Ｓｔａｔｉｏｎ  Ｓｙｓｔｅｍ  Ａｐｐｌｉｃａｔｉｏｎ  Ｐａｒｔ（ＢＳＳＡＰ）メッセージと、Ｒａｄｉｏ  Ａｃｃｅｓｓ  Ｎｅｔｗｏｒｋ  Ａｐｐｌｉｃａｔｉｏｎ  Ｐａｒｔ（ＲＡＮＡＰ）メッセージと、ＳＯＡＰ／ＸＭＬメッセージと、ＬＤＡＰメッセージとの中から選択されてもよい。
【００１９】
本発明の第３の態様によって、Ｇｌｏｂａｌ  Ｓｙｓｔｅｍ  ｆｏｒ  Ｍｏｂｉｌｅ  Ｃｏｍｍｕｎｉｃａｔｉｏｎｓネットワークで用いられる移動通信交換局が提供される。移動通信交換局は、移動通信交換局に接続されてサービス提供されている加入者の位置情報を有するメッセージをアクセスネットワーク内のノードから受信するための受信器を備え、その位置情報は、Ｕｎｌｉｃｅｎｓｅｄ  Ｍｏｂｉｌｅ  Ａｃｃｅｓｓ端末に関連する。
【００２０】
移動通信交換局は、位置情報を有するメッセージを受信する前に、報告されたＣｅｌｌ  Ｇｌｏｂａｌ  Ｉｄｅｎｔｉｆｉｅｒから、Ｌｏｃａｔｉｏｎ  Ａｒｅａ  ＣｏｄｅとＣｅｌｌ  Ｉｄｅｎｔｉｆｉｅｒとを判定するための手段を備えてもよい。Ｌｏｃａｔｉｏｎ  Ａｒｅａ  Ｃｏｄｅ、あるいは、Ｌｏｃａｔｉｏｎ  Ａｒｅａ  ＣｏｄｅとＣｅｌｌ  Ｉｄｅｎｔｉｆｉｅｒとの組み合わせは、端末が、Ｇｅｎｅｒｉｃ  Ａｃｃｅｓｓ  Ｎｅｔｗｏｒｋ  Ｃｏｎｔｒｏｌｌｅｒを経由して接続されていることを表す。また、判定の結果として、位置情報を求める要求をＧｅｎｅｒｉｃ  Ａｃｃｅｓｓ  Ｎｅｔｗｏｒｋ  Ｃｏｎｔｒｏｌｌｅｒへ送信するための送信器も提供される。
【００２１】
本発明の第４の態様によって、Ｇｌｏｂａｌ  Ｓｙｓｔｅｍ  ｆｏｒ  Ｍｏｂｉｌｅ  Ｃｏｍｍｕｎｉｃａｔｉｏｎｓネットワークで用いるサービング汎用パケット無線システム・サービスノードが提供される。サービング汎用パケット無線システム・サービスノードは、サービング汎用パケット無線システム・サービスノードに接続してサービス提供されている加入者の位置情報を有するメッセージをアクセスネットワーク内のノードから受信するための受信器を備えており、その位置情報は、Ｕｎｌｉｃｅｎｓｅｄ  Ｍｏｂｉｌｅ  Ａｃｃｅｓｓ端末に関連する。
【００２２】
好ましくは、サービング汎用パケット無線システム・サービスノードは、位置情報を有するメッセージを受信する前に、報告されたＣｅｌｌ  Ｇｌｏｂａｌ  Ｉｄｅｎｔｉｆｉｅｒから、Ｌｏｃａｔｉｏｎ  Ａｒｅａ  ＣｏｄｅとＣｅｌｌ  Ｉｄｅｎｔｉｆｉｅｒとを判定するための手段を備える。Ｌｏｃａｔｉｏｎ  Ａｒｅａ  Ｃｏｄｅ、あるいは、Ｌｏｃａｔｉｏｎ  Ａｒｅａ  ＣｏｄｅとＣｅｌｌ  Ｉｄｅｎｔｉｆｉｅｒとの組み合わせは、端末が、Ｇｅｎｅｒｉｃ  Ａｃｃｅｓｓ  Ｎｅｔｗｏｒｋ  Ｃｏｎｔｒｏｌｌｅｒを経由して接続されていることを表す。また、判定の結果として、位置情報を求める要求をＧｅｎｅｒｉｃ  Ａｃｃｅｓｓ  Ｎｅｔｗｏｒｋ  Ｃｏｎｔｒｏｌｌｅｒへ送信するための送信器も提供される。
【図面の簡単な説明】
【００２３】
【図１】本発明に必要なアーキテクチャを略示する図である。
【図２】本発明の一実施形態のステップを示すフロー図である。
【図３】本発明の一実施形態によるＧｅｎｅｒｉｃ  Ａｃｃｅｓｓ  Ｎｅｔｗｏｒｋ  Ｃｏｎｔｒｏｌｌｅｒを略示する図である。
【図４】本発明の一実施形態による移動通信交換局を略示する図である。
【発明を実施するための形態】
【００２４】
図１に、ＤＳＬアクセスネットワーク２に接続しているＵＭＡ端末１を示す。典型的にはＩＰアクセスプロバイダのネットワーク内に位置するＮｅｔｗｏｒｋ  Ａｃｃｅｓｓ  Ｃｏｎｆｉｇｕｒａｔｉｏｎ  Ｆｕｎｃｔｉｏｎ（ＮＡＣＦ）３を用いて、ＵＭＡ端末１にＩＰアドレスを割り当てる。やはり典型的にはＩＰアクセスプロバイダのネットワーク内に位置するＣｏｎｎｅｃｔｉｖｉｔｙ  ｓｅｓｓｉｏｎ  Ｌｏｃａｔｉｏｎ  ａｎｄ  ｒｅｐｏｓｉｔｏｒｙ  Ｆｕｎｃｔｉｏｎ（ＣＬＦ）４も図示しており、これは、ＮＡＣＦ３およびＧｅｎｅｒｉｃ  Ａｃｃｅｓｓ  Ｎｅｔｗｏｒｋ  Ｃｏｎｔｒｏｌｌｅｒ（ＧＡＮＣ）５と通信することができる。ＧＡＮＣ５は、次には、ＧＳＭネットワーク７の中の移動通信交換局（ＭＳＣ）６と通信するかまたはＧＳＭネットワーク７の中のサービング汎用パケット無線システム・サービスノード（図示せず）と通信することができる。
【００２５】
ＵＭＡ端末１を持つ加入者が、ＤＳＬネットワーク２を経由してＧＳＭネットワークにアクセスすることを望む場合、ステップは以下のようである。一部のステップを図２に示す。
【００２６】
１．ＵＭＡ加入者の宅内のＡＤＳＬモデムが、ＩＰ接続性を取得する。モデムは、ＩＰアドレスを取得するため、ＤＨＣＰ要求をブロードキャストする。ＤＨＣＰ要求が、加入者のＤＳＬ回線の接続先であるＩＰサブネットのＤＨＣＰサーバによって受信される。公共のインターネットへのＤＳＬ回線の接続が、ＤＳＬ  Ａｃｃｅｓｓ  Ｍｕｌｔｉｐｌｅｘｅｒ（ＤＳＬＡＭ）（図１には図示せず）を経由して行われる。
【００２７】
２．ＤＨＣＰサーバが、内蔵されているかまたは近くにあるＮＡＣＦ３からのサービスを用いてＩＰアドレスを取得し、それをＤＳＬ回線に割り当てる。
【００２８】
３．ＮＡＣＦ３が、ＤＳＬ回線のための位置関連情報をＤＳＬ運用事業者から提供される。この位置関連情報は、例えば、ＤＳＬ回線のＰＳＴＮ番号であってもよい。あるいは、下記のように、ＣＬＦが、この情報を提供されてもよい。
【００２９】
４．ＮＡＣＦ３が、ＤＳＬ回線に割り当てられたＩＰアドレスを位置関連情報（ＰＳＴＮ番号または仮想回線ＩＤ）とペアにする。ＮＡＣＦ３は、回線ＩＤをＣＬＦ４に報告する。ＣＬＦ４が、運用事業者の要件に応じて、その回線ＩＤについての対応する位置番号を提供される。
【００３０】
５．ＮＡＣＦ３が、ＩＰアドレスと位置情報とをＣＬＦ４に報告する。これは、適切なＩＰベースのプロトコルを用いて報告されてもよい。ＣＬＦ４が、ＤＳＬ回線ＩＤだけをＮＡＣＦ３から受信する場合には、ＣＬＦは、内部的に記憶された位置情報を用いて、受信したＩＰアドレスに位置番号を関連付ける。ＣＬＦの中に記憶されていて、ＤＳＬ回線ＩＤに関連付けられた位置番号が、管理手段を通じてＣＬＦの中に提供される。また、ＣＬＦ４は、このＤＳＬ回線ＩＤについての地理的位置情報を提供されてもよい。次いでＣＬＦは、ＩＰアドレスと位置情報との関連を維持する。
【００３１】
６．ＵＭＡ端末１は、自宅においてＷＬＡＮアクセスポイントからのＩＰ接続性を用いて、ＵＭＡ加入者としてＧＳＭネットワーク７の中のＭＳＣ６に接続する。ＵＭＡ端末１は、ＧＡＮＣ５とのＩＰトンネルを確立する。ＩＰトンネルの確立は、ＵＭＡ仕様に従って行われる。
【００３２】
７．図２に示すように、ＧＡＮＣ５は、ＩＰトンネルを確立することの一部として、ＵＭＡ端末１のＩＰアドレスを受信する（８）。ＧＡＮＣ５は、このＩＰアドレスを用いてＣＬＦ４に対してクエリを行う（９）。ＤＳＬアクセスが、ＧＡＮＣ５を含めて、ＧＳＭネットワーク７の運用事業者とは異なる運用事業者によって運用されている場合には、ＵＭＡ端末１のＩＰアドレスを用いてＣＬＦ４のアドレスを導出する。ＤＳＬプロバイダ各社とＧＳＭ運用事業者の間の契約が整って、ＧＡＮＣ５がそれぞれのＤＳＬ運用事業者のＣＬＦ４に対してクエリを行うことが可能になる。クエリに応じて、ＧＡＮＣ５が、このＩＰアドレスに関連する位置情報を取得する（１０）。本発明は、ＧＡＮＣ５とＣＬＦ４の間のインタフェースを導入する。このインタフェースは、Ｓｅｓｓｉｏｎ  ｂｏｒｄｅｒ  ｇａｔｅｗａｙ（ＳＢＧ）とＣＬＦの間のインタフェースと同様の特徴を持っており、共通に使用される。
【００３３】
ここから先、ＧＡＮＣ５は、ＵＭＡ端末１の位置情報を保持する。ＵＭＡ端末１は、確立されたＩＰトンネルを用いて、Ｄｉｒｅｃｔ  Ｔｒａｎｓｆｅｒ  Ａｐｐｌｉｃａｔｉｏｎ  Ｐａｒｔ（ＤＴＡＰ）メッセージをＭＳＣ６と交換し、そして、メディアをＭｅｄｉａ  Ｇａｔｅｗａｙへ、またはＭｅｄｉａ  Ｇａｔｅｗａｙから伝送し、ＧＡＮＣ５を通してメディアを送信する。
【００３４】
次いでＭＳＣ６は、位置情報をＧＡＮＣ５から取得できる（１０）。これは、いくつかのやり方で行うことができ、２つの例を下記のステップ８ａおよび８ｂに説明する。
【００３５】
８ａ．本発明の一実施形態では、ＧＡＮＣ５が、ＵＭＡ端末１からＭＳＣ６へ送信されるＡｔｔａｃｈメッセージを改良する。ＧＡＮＣ５は、Ａｔｔａｃｈメッセージの中に位置情報を含める。このようにして、ＭＳＣ６は、位置情報（たとえば位置番号）をＡｔｔａｃｈ手順の間に直接受信する。この方法によって、位置情報の効率的な伝送が可能になる。ＢＳＣ（図示せず）からＭＳＣ６への情報フローの中で無線情報を改良することは、すでに知られており、例えば、ＧＳＭ加入者がＭＳＣ６との通信チャネルを確立する際にＭＳＣ６に対するＤＴＡＰシグナリングの中に「無線報告」を含めるようにするという特徴をＢＳＣの中に実装することができる。位置番号（あるいは、ＣＬＦ４から取得された、その他の位置情報）は、この情報フローに含めることができる。
【００３６】
８ｂ．本発明の代替実施形態では、ＧＡＮＣ５は、Ａｔｔａｃｈメッセージを改良しない。代わりに、ＭＳＣ６が、以下のように振舞う。ＭＳＣは現在、接続手順の間にかまたは位置更新手順の間に移動局（ＭＳ）が前にＭＳＣに報告していたＣｅｌｌ  Ｇｌｏｂａｌ  Ｉｄｅｎｔｉｆｉｅｒ（ＣＧＩ）から位置番号を導出するソフトウェア手順を含んでいる。この実施形態では、ソフトウェア手順が改良される。ＣＧＩは、Ｍｏｂｉｌｅ  Ｃｏｕｎｔｒｙ  Ｃｏｄｅ（ＭＣＣ）と、Ｌｏｃａｔｉｏｎ  Ａｒｅａ  Ｃｏｄｅ（ＬＡＣ）と、Ｃｅｌｌ  Ｉｄｅｎｔｉｆｉｅｒ（ＣＩ）とを含む。ＬＡＣは、Ｌｏｃａｔｉｏｎエリアに関連し、Ｌｏｃａｔｉｏｎエリアは、ある数（典型的には１つ）のＢＳＣによってサービス提供される、無線アクセスネットワークの一部によって定義される。ＧＡＮＣは、ＭＳＣに対するＢＳＣとして動作し、従って、それに割り当てられたＬＡＣを有する。ＵＭＡ加入者がＭＳＣに接続する場合、ＭＳがＭＳＣに報告するＣＧＩの中に含まれたＬＡＣの値は、ＧＡＮＣ５と関連付けられる。従ってＬＡＣの値は、加入者がＢＳＣを経由してＭＳＣに接続しているのか、それともＧＡＮＣを経由してＭＳＣに接続しているのかを表すことができる。ＧＡＮＣ−ＢＳＣの組み合わせが用いられた場合には、そのように組み合わせた制御ノードは、他と区別可能なＬＡＣ値を用いて、アクセスモードを示す。あるいは、ＧＡＮＣ−ＢＳＣの組み合わせは、それに割り当てられた単一のＬＡＣ値を有する。この場合、ＣＩ値は、ＵＭＡアクセスと通常のＧＳＭアクセスとを区別するため、ＬＡＣ値と組み合わせて考慮する必要がある。ＭＳＣにおける前述のソフトウェア手順は、ＬＡＣから、加入者はＧＡＮＣ５を経由して接続していると推論し、それがＭＳＣ６をトリガして、ＧＡＮＣ５に対してクエリが行われ、加入者の位置情報が取得される。クエリの送信先であるべきＧＡＮＣ５のアドレスが、ＭＳＣ６に提供される（ＭＳＣ６とＧＡＮＣ５とは同じ運用事業者に属する）。運用事業者のネットワークが複数のＧＡＮＣを有する場合には、クエリの送信先であるべきＧＡＮＣ５のアドレスは、このＧＡＮＣ５から報告されるＬＡＣから導出される。ＧＡＮＣ５は加入者のＩＭＳＩを利用可能に有することから、加入者は、クエリの中で加入者のＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）によって識別される。ＭＳＣ６は、自分が加入者の位置情報を検索すべきかどうかを決定することができる。ＭＳＣ６は、ＬＤＡＰか、ＳＯＡＰ／ＸＭＬかその他のいずれかの適切なプロトコルを用いて、ＧＡＮＣ５から位置情報を検索する。
【００３７】
図３に、ＧＡＮＣ５を示す。ＧＡＮＣ５には、ＵＭＡ端末１のＩＰアドレスを受信するための受信器１２が含まれる。位置情報を取得することを目的としてＣＬＦ４へ送信するためのクエリメッセージを生成するために、プロセッサ１３が提供される。また、クエリメッセージを送信するための送信器１４も提供される。また、受信器１２は、クエリメッセージに対する応答を受信することができ、その応答には、要求された位置情報が含まれる。この情報は、ＧＡＮＣ５のメモリ１５に記憶されてもよい。
【００３８】
図４に、上記のステップ８ｂの実施形態によるＭＳＣ６を図解する。ＭＳＣ６は、ＵＭＡ端末１の位置情報を含むメッセージのための受信器１６を有する。また、プロセッサ１７、メモリ１８、および送信器１９も設けられている。上記のステップ８ｂに記述した実施形態の場合、プロセッサ１７と送信器１９とを用いて、ＧＡＮＣに宛てた、位置情報を要求するメッセージを生成して送信する。
【００３９】
上の記述は、ＵＭＡ端末１が自宅のＷＬＡＮアクセスポイントを用いてＭＳＣ６に接続する事例について記述したものである。ＷＬＡＮアクセスポイントは、ＤＳＬに接続し、そこでＤＳＬはＰＳＴＮ回線に結合される。ＭＳＣとＶＡＳとを用いて、位置番号を無線アクセスネットワーク内の加入者の位置に関連付ける。このようにして、ユーザが自分のホームＷＬＡＮアクセスポイントを通してＧＳＭネットワーク７に接続する場合に、ユーザのＵＭＡ端末１はユーザのホーム位置番号に関連付けられる。
【００４０】
ＵＭＡ端末に関連する位置情報をＭＳＣに提供することは、そのＵＭＡ端末が加入者のホームＷＬＡＮアクセスポイント以外のＵＭＡアクセスを用いてＭＳＣに接続する場合には、可能である。その場合、異なる位置番号がＭＳＣに対して報告されるであろうから、位置をベースにしたサービス（ＶＡＳ）は、加入者が自宅にいないことを検出するであろう。
【００４１】
また本発明は、別のタイプの位置情報がＭＳＣに提供されうることを条件として、ＩＰ接続に関連するＰＳＴＮ回線が存在しない場合に加入者がＩＰ接続性を用いる場合に適用されてもよい。他のタイプのアクセスの例には、公衆ＷＬＡＮホットスポットおよびスタンドアロンＤＳＬ加入、すなわち、ＰＳＴＮ加入を有しないＤＳＬ加入が含まれる。
【００４２】
これらの場合には、加入者に関連付けられるべき一番号が存在しない。公衆ＷＬＡＮの場合には、ＵＭＡ端末１がそれを通してＧＳＭネットワーク７にアクセスするＷＬＡＮアクセスポイントは、やはりＤＨＣＰクエリを用いてＩＰアドレスを取得するであろう。次いで、そのＷＬＡＮアクセスポイントの運用事業者が、そのＷＬＡＮアクセスポイントのための適切な位置情報をＮＡＣＦまたはＣＬＦに提供してもよい。そのような場合、地理的情報が、ＮＡＣＦ／ＣＬＦにおいて提供されてもよいし、あるいは、郵便番号のような情報が、ＮＡＣＦ／ＣＬＦにおいて提供されてもよい。次いで、この情報は、ＧＡＮＣ５がＣＬＦに対するクエリを行う際にＧＡＮＣ５に報告されるであろうし、そして、その後、ＭＳＣ６に報告されるであろう。現行のＭＳＣは、例えばＣＧＩ、位置番号および地理的情報のような情報要素を、加入者のための位置情報の中に含める能力を有する。ＭＳＣが、例えば郵便番号のような、他のタイプの位置情報をＧＡＮＣから受信する場合には、ＭＳＣの内部構造が改良される必要がある。
【００４３】
本発明によって、ＵＭＡ端末１がＭＳＣ６に接続することが可能になり、そして、例えばホームＰＳＴＮ番号のような加入者の位置情報が、ＭＳＣ６に報告される。このホームＰＳＴＮ番号は、位置番号の代わりをする。このようにして、位置に基づくサービスおよびＶＡＳは、ＵＭＡ加入者が自分のホーム位置にいるのかあるいは別の位置にいるのかを判定することができる。
【００４４】
ＵＭＡ端末１が呼を受信する場合、位置番号を含めて位置情報がＶＡＳ機能へ報告されてもよい。ＶＰＮのようなサービスがこの位置番号を使用してもよく、加入者が自宅にいて（例えば、着信料金請求が適用される国において）ＵＭＡを使って呼のための特別料金制を適用していることを、示してもよい。
【００４５】
本発明は、ＵＭＡを通した緊急呼のための解決策を提示する。加入者がＵＭＡ端末を通して緊急呼（たとえば「１１２」「９１１」）を発した場合には、加入者の位置番号および地理的情報を、ＭＳＣで利用することができるであろうし、それらを例えば呼を最も近い公安応答ポイント（ＰＳＡＰ）にルーティングすることのような、緊急呼の処理のために使用することもできる。
【００４６】
本発明によって、ＧＡＮＣ５は、ＵＭＡ端末１に関連する位置情報を取得することができる。ＧＡＮＣは、この情報をＧＳＭ接続の間にＣＬＦ４から取得する。ＣＬＦ４は、ＵＭＡ端末の位置情報を有するが、それは、運用事業者の要件と構成とによって、Ｅ．１６４位置番号、地理的情報（「地理座標」）、郵便番号、あるいは端末の位置を特定可能なその他のいずれかの情報であってもよい。
【００４７】
位置情報は、ＧＡＮＣ５からＭＳＣ６へのＧＳＭ  Ａｔｔａｃｈ手順に含まれる。あるいは、位置情報を取得するためにＭＳＣ６がＧＡＮＣ５に対してクエリを行う。このようなかたちで受信されるＵＭＡ端末１の位置情報は、ＭＳＣをベースにした位置サービス、付加価値サービス、緊急呼および合法的盗聴のために用いられてもよい。
【００４８】
当業者であれば、本発明の範囲から逸脱することなく上述の実施形態に対して各種の修正が行われうることは、理解するであろう。例えば、上記の記述は、本発明がＭＳＣに適用される場合の本発明について記述しているが、代わりに、Ｗ−ＣＤＭＡ無線アクセスネットワークに代わってＵＭＡアクセスが用いられる場合には、サービング汎用パケット無線システム・サービスノード（ＳＧＳＮ）を用いて実装されてもよい。
【図１】
2010532956.tif 000003
【図２】
2010532956.tif 000004
【図３】
2010532956.tif 000005
【図４】
2010532956.tif 000006
【手続補正書】
【提出日】平成21年8月24日(2009.8.24)
【手続補正１】
【補正対象書類名】明細書
【補正対象項目名】０００８
【補正方法】変更
【補正の内容】
【０００８】
ＵＭＡアクセスを用いている場合に位置番号が利用可能であるようにすることが、緊急呼には必要である。運用事業者は、加入者が緊急呼を確立した場合に発信加入者の位置を提供するように法律によって義務付けられている。さらに、多くの場合、合法的盗聴（Ｌａｗｆｕｌ  Ｉｎｔｅｒｃｅｐｔ：ＬＩ）システムでは、発信者または着信者の位置を判定できることが必要である。この問題に対するソリューションがＷＯ  ２００７／０４８０２８によって提供されているが、このソリューションは、Ｓｅｒｖｉｎｇ  Ｍｏｂｉｌｅ  Ｌｏｃａｔｉｏｎ  Ｃｅｎｔｒｅとの通信を伴う。ＳＭＬＣは、データベースに対して位置確認要求を送信し、受信した情報を使用して位置を算出しなければならない。このことは、位置確認要求ごとに帯域の使用とプロセッサの使用とを必要とする。ＩＰマルチメディア・サブシステム（ＩＭＳ）ネットワークの文脈における他のソリューションは、アクセスポイントのメディアアクセス制御（ＭＡＣ）アドレスを使用してＣｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎ（ＣＬＦ）に対してクエリを行うことである。しかしながら、ＭＡＣアドレスは容易に変更され得るものであるので、ＭＡＣアドレスを位置情報に対して何らかの確実性を伴うように関連付けることはできない。
【手続補正２】
【補正対象書類名】特許請求の範囲
【補正対象項目名】全文
【補正方法】変更
【補正の内容】
【特許請求の範囲】
【請求項１】
ＧＳＭネットワークにおいてＵＭＡ端末の位置情報を管理する方法であって、
ＧＡＮコントローラにおいて、前記端末へのセキュアトンネルのＩＰアドレスを受信するステップと、
通信サービスノードに接続することを目的として前記端末がＩＰ接続性を取得するために介したＩＰネットワークまたはＩＰサブネットワークに関連付けられたＣｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎに対して、前記ＧＡＮコントローラから、前記セキュアトンネルの前記ＩＰアドレスを含んだクエリを送信するステップと、
前記クエリに応えて、前記Ｃｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎから位置情報を受信するステップと、
通信サービスノードから受信された位置情報要求に対する応答の中で、またはエンハンストＧＳＭ  Ａｔｔａｃｈメッセージの中で、前記通信サービスノードに対して、前記ＧＡＮコントローラから前記位置情報を送信するステップと、
を備えることを特徴とする方法。
【請求項２】
前記通信サービスノードは、移動通信交換局（ＭＳＣ）およびサービング汎用パケット無線システム・サービスノード（ＳＧＳＮ）のうちの１つから選択されることを特徴とする請求項１に記載の方法。
【請求項３】
前記通信サービスノードから受信された位置情報要求に応えて前記位置情報が前記通信サービスノードに対して送信される場合に、
前記通信サービスノードにおいて、前記端末がＧＡＮコントローラを介して接続されているということを示すＬｏｃａｔｉｏｎ  Ａｒｅａ  ＣｏｄｅまたはＬｏｃａｔｉｏｎ  Ａｒｅａ  ＣｏｄｅとＣｅｌｌ  Ｉｄｅｎｔｉｆｉｅｒとの組み合わせを、報告されたＣｅｌｌ  Ｇｌｏｂａｌ  Ｉｄｅｎｔｉｆｉｅｒ、Ｌｏｃａｔｉｏｎ  Ａｒｅａ  Ｃｏｄｅ、およびＣｅｌｌ  Ｉｄｅｎｔｉｆｉｅｒから判定するステップと、
前記判定の結果として、前記ＧＡＮコントローラに対して、前記通信サービスノードから位置情報要求を送信するステップと、
を備えることを特徴とする、ＧＳＭネットワークにおいてＵＭＡ端末の位置情報を管理する、請求項１又は２に記載の方法。
【請求項４】
前記通信サービスノードから受信された位置情報要求に応えて前記位置情報が前記通信サービスノードに対して送信される場合に、
前記通信サービスノードにおいて、前記端末がＧＡＮコントローラを介して接続されているということを示すＬｏｃａｔｉｏｎ  Ａｒｅａ  ＣｏｄｅまたはＬｏｃａｔｉｏｎ  Ａｒｅａ  ＣｏｄｅとＳｅｒｖｉｃｅ  Ａｒｅａ  Ｃｏｄｅとの組み合わせを、報告されたＣｅｌｌ  Ｇｌｏｂａｌ  Ｉｄｅｎｔｉｆｉｅｒ、Ｌｏｃａｔｉｏｎ  Ａｒｅａ  Ｃｏｄｅ、およびＳｅｒｖｉｃｅ  Ａｒｅａ  Ｃｏｄｅから判定するステップと、
前記判定の結果として、前記ＧＡＮコントローラに対して、前記通信サービスノードから位置情報要求を送信するステップと、
を備えることを特徴とする、ＧＳＭネットワークにおいてＵＭＡ端末の位置情報を管理する、請求項１又は２に記載の方法。
【請求項５】
前記位置情報はＥ．１６４公衆交換電話網番号を含むことを特徴とする、ＧＳＭネットワークにおいてＵＭＡ端末の位置情報を管理する、請求項１乃至４のいずれか１項に記載の方法。
【請求項６】
前記位置情報は、仮想回線ＩＤ、郵便番号、地理情報、測地情報、および無線ローカルエリアネットワークアクセスポイントを特定する位置情報のうちのいずれかから選択されることを特徴とする、ＧＳＭネットワークにおいてＵＭＡ端末の位置情報を管理する、請求項１乃至４のいずれか１項に記載の方法。
【請求項７】
ＧＳＭネットワークにおいて使用するためのＧＡＮコントローラであって、
ＵＭＡ端末へのセキュアトンネルのＩＰアドレスを受信する受信器と、
前記セキュアトンネルへの前記ＩＰアドレスを含んだクエリメッセージを生成するプロセッサと、
前記端末に関連付けられたＣｏｎｎｅｃｔｉｖｉｔｙ  Ｓｅｓｓｉｏｎ  Ｌｏｃａｔｉｏｎ  ａｎｄ  Ｒｅｐｏｓｉｔｏｒｙ  Ｆｕｎｃｔｉｏｎに対して前記クエリメッセージを送信する送信器と、
を備え、
前記受信器は、前記クエリに応える、位置情報を含んだ応答メッセージを受信するように構成され、
前記送信器は、位置情報要求に対する応答の中で、またはエンハンストＧＳＭ  Ａｔｔａｃｈメッセージの中で、移動通信交換局およびサービング汎用パケット無線システム・サービスノードから選択されたノードに対して、位置情報を含んだメッセージを送信するように構成される
ことを特徴とするＧＡＮコントローラ。
【請求項８】
前記移動通信交換局または前記サービング汎用パケット無線システム・サービスノードへ送信される、位置情報を含んだ前記メッセージは、Ｄｉｒｅｃｔ  Ｔｒａｎｓｆｅｒ  Ａｐｐｌｉｃａｔｉｏｎ  Ｐａｒｔ（ＤＴＡＰ）メッセージ、Ｂａｓｅ  Ｓｔａｔｉｏｎ  Ｓｙｓｔｅｍ  Ａｐｐｌｉｃａｔｉｏｎ  Ｐａｒｔ（ＢＳＳＡＰ）メッセージ、Ｒａｄｉｏ  Ａｃｃｅｓｓ  Ｎｅｔｗｏｒｋ  Ａｐｐｌｉｃａｔｉｏｎ  Ｐａｒｔ（ＲＡＮＡＰ）メッセージ、ＳＯＡＰ／ＸＭＬメッセージ、およびＬＤＡＰメッセージの中から選択されることを特徴とする請求項７に記載のＧＡＮコントローラ。
【請求項９】
ＧＳＭネットワークにおいて使用するための移動通信交換局であって、
ＵＭＡ端末がＧＡＮコントローラを介して接続されているということを示すＬｏｃａｔｉｏｎ  Ａｒｅａ  ＣｏｄｅとＣｅｌｌ  ＩｄｅｎｔｉｆｉｅｒまたはＳｅｒｖｉｃｅ  Ａｒｅａ  Ｃｏｄｅとを、報告されたＣｅｌｌ  Ｇｌｏｂａｌ  Ｉｄｅｎｔｉｆｉｅｒから判定する手段と、
前記ＧＡＮコントローラに対して、位置情報要求を送信する送信器と、
前記ＧＡＮコントローラから、前記移動通信交換局に接続されてサービス提供されている加入者に関する、前記ＵＭＡ端末に関する位置情報を含んだメッセージを受信する受信器と、
を備えることを特徴とする移動通信交換局。
【請求項１０】
ＧＳＭネットワークにおいて使用するためのサービング汎用パケット無線システム・サービスノードであって、
ＵＭＡ端末がＧＡＮコントローラを介して接続されているということを示すＬｏｃａｔｉｏｎ  Ａｒｅａ  ＣｏｄｅとＣｅｌｌ  ＩｄｅｎｔｉｆｉｅｒまたはＳｅｒｖｉｃｅ  Ａｒｅａ  Ｃｏｄｅとを、報告されたＣｅｌｌ  Ｇｌｏｂａｌ  Ｉｄｅｎｔｉｆｉｅｒから判定する手段と、
前記ＧＡＮコントローラに対して、位置情報要求を送信する送信器と、
前記ＧＡＮコントローラから、前記サービング汎用パケット無線システム・サービスノードに接続されてサービス提供されている加入者に関する、前記ＵＭＡ端末に関する位置情報を含んだメッセージを受信する受信器と、
を備えることを特徴とするサービング汎用パケット無線システム・サービスノード。
【国際調査報告】
2010532956.tif 000007
2010532956.tif 000008
2010532956.tif 000009